(57)【要約】【課題】  静止画データ及び動画データを記録媒体に記録する際に、静止画データの記録領域を確保するとともに、ユーザが当該記録媒体の空き容量を気にすることなく動画データの記録を行えるようにする。【解決手段】  静止画データ及び動画データを記録・再生するための光ディスク１０７の空き容量を容量監視部１０８２で検知し、半導体メモリカード１０６に記録された静止画データを光ディスク１０７に移動あるいは複写して記録する際の記録領域を記録領域設定部１０８３で設定し、記録可能時間設定部１０８４において、容量監視部１０８２で検知した光ディスク１０７の空き容量と、記録領域設定部１０８３で設定した記録領域とに基づいて、光ディスク１０７における動画データの記録可能時間を設定するようにする。【選択図】  図１
2006340197.tif 000002
【特許請求の範囲】
【請求項１】
第１の記録媒体と、第２の記録媒体とに対して情報データを記録再生する記録再生手段と、
前記第１の記録媒体に記録された情報データを前記第２の記録媒体に記録するための記録領域の設定を行う記録領域設定手段と、
前記記録領域設定手段で設定した記録領域に基づいて、前記第２の記録媒体に対する前記情報データの記録動作を制御する制御手段と
を有することを特徴とする記録装置。
【請求項２】
前記第１の記録媒体の記憶容量を検知する記憶容量検知手段を更に有し、
前記記録領域設定手段は、前記記憶容量検知手段で検知した記憶容量を前記記録領域として設定することを特徴とする請求項１に記載の記録装置。
【請求項３】
前記記録領域の設定を自動的に行うか否をユーザインターフェースにより制御することを特徴とする請求項２に記載の記録装置。
【請求項４】
前記記録領域をユーザが任意に設定するための入力手段を更に有し、
前記記録領域設定手段は、前記入力手段に入力された入力値を前記記録領域として設定することを特徴とする請求項１に記載の記録装置。
【請求項５】
前記第２の記録媒体に前記記録領域を確保できたか否かを表示する表示手段を更に有することを特徴とする請求項１〜４のいずれか１項に記載の記録装置。
【請求項６】
前記制御手段は、前記第２の記録媒体における全ての空き容量から前記記録領域設定手段で設定された記録領域を除いたものを前記第２の記録媒体の記録可能容量として算出して、前記第２の記録媒体に対する記録動作を制御することを特徴とする請求項１〜５のいずれか１項に記載の記録装置。
【請求項７】
前記第２の記録媒体の記録可能容量に係る情報を表示する表示手段を更に有することを特徴とする請求項６に記載の記録装置。
【請求項８】
前記制御手段は、前記算出された第２の記録媒体における記録可能容量が無くなった場合に前記第２の記録媒体に対する前記情報データの記録を停止することを特徴とする請求項６に記載の記録装置。
【請求項９】
第１の記録媒体と、第２の記録媒体とに対して情報データを記録再生する記録再生手段を備えた記録装置における制御方法であって、
前記第１の記録媒体に記録された情報データを前記第２の記録媒体に記録するための記録領域の設定を行う記録領域設定ステップと、
前記記録領域設定ステップで設定した記録領域に基づいて、前記第２の記録媒体に対する前記情報データの記録動作を制御する制御ステップと
を有することを特徴とする記録装置の制御方法。
【請求項１０】
第１の記録媒体と、第２の記録媒体とに対して情報データを記録再生する記録再生手段を備えた記録装置における制御方法をコンピュータに実行させるためのプログラムであって、
前記第１の記録媒体に記録された情報データを前記第２の記録媒体に記録するための記録領域の設定を行う記録領域設定ステップと、
前記記録領域設定ステップで設定した記録領域に基づいて、前記第２の記録媒体に対する前記情報データの記録動作を制御する制御ステップと
をコンピュータに実行させるためのプログラム。
【請求項１１】
請求項１０に記載のプログラムをコンピュータに読み取り可能に記憶したことを特徴とするコンピュータ読み取り可能な記憶媒体。
【発明の詳細な説明】
【技術分野】
【０００１】
本発明は、第１の記録媒体と、第２の記録媒体とに対して情報データを記録再生する記録再生手段を備えた記録装置、その制御方法、当該制御方法をコンピュータに実行させるためのプログラム及び当該プログラムを記憶したコンピュータ読み取り可能な記憶媒体に関する。
【背景技術】
【０００２】
従来、被写体を撮影し、被写体の映像信号を光ディスクと半導体メモリカードに対して記録可能なビデオカメラが知られている（例えば、特許文献１参照）。このようなビデオカメラでは、光ディスクは半導体メモリカードに比べて記録レートが高く、また、特にＤＶＤやブルーレイディスクなどは半導体メモリカードに比べて記録容量も大きいため、光ディスクに対して動画を記録し、半導体メモリカードには静止画を記録することが一般的となっている。
【０００３】
また、半導体メモリカードに記録された静止画データを光ディスクにコピー（複写）又は移動して記録（保存）することも提案されている。
【０００４】
ここで、記録に用いられる光ディスクの規格にはいくつかあるが、ＤＶＤ−ＲＷのような記録情報の書き換えが可能なリライタブル型と、ＤＶＤ−Ｒのような一度記録した記録情報の書き換えが不可能なライトワンス型に分類され、さらに、記録モード（フォーマット）により記録媒体に記録されたデータを再生装置で再生可能とするために、ファイナライズと呼ばれる書き込み終了処理（以下、「ファイナライズ」と称する）が必要となる。このファイナライズを行うと、これ以降、光ディスクの残容量に関わらず記録情報の記録ができなくなる。また、ライトワンス型では、ファイナライズの解除ができないため、一般的には保存用ディスクとして扱われる。
【０００５】
【特許文献１】特開２００４−２６０７０１号公報
【発明の開示】
【発明が解決しようとする課題】
【０００６】
前述したように、光ディスクと半導体メモリカードに対してそれぞれ動画と静止画を記録するビデオカメラでは、光ディスクに動画を記録し続けると、半導体メモリカードに記録されている静止画データを光ディスクに複写又は移動して記録するための空き容量を確保することができなくなってしまうという問題が発生する。特に、ＤＶＤ−Ｒのようなライトワンス型の光ディスクでは、動画データを削除することによって空き容量を増やすことができないため、半導体メモリカードに記録されている静止画データを当該光ディスクに複写又は移動して記録するための記録領域を確保できない場合も発生する。
【０００７】
本発明は前述の問題点に鑑みてなされたものであり、静止画データ及び動画データを記録媒体に記録する際に、静止画データの記録領域を確保するとともに、ユーザが当該記録媒体の空き容量を気にすることなく動画データの記録を行えるようにすることを目的とする。
【課題を解決するための手段】
【０００８】
本発明の記録装置は、第１の記録媒体と、第２の記録媒体とに対して情報データを記録再生する記録再生手段と、前記第１の記録媒体に記録された情報データを前記第２の記録媒体に記録するための記録領域の設定を行う記録領域設定手段と、前記記録領域設定手段で設定した記録領域に基づいて、前記第２の記録媒体に対する前記情報データの記録動作を制御する制御手段とを有する。
【０００９】
本発明の記録装置の制御方法は、第１の記録媒体と、第２の記録媒体とに対して情報データを記録再生する記録再生手段を備えた記録装置における制御方法であって、前記第１の記録媒体に記録された情報データを前記第２の記録媒体に記録するための記録領域の設定を行う記録領域設定ステップと、前記記録領域設定ステップで設定した記録領域に基づいて、前記第２の記録媒体に対する前記情報データの記録動作を制御する制御ステップとを有する。
【００１０】
本発明のプログラムは、第１の記録媒体と、第２の記録媒体とに対して情報データを記録再生する記録再生手段を備えた記録装置における制御方法をコンピュータに実行させるためのプログラムであって、前記第１の記録媒体に記録された情報データを前記第２の記録媒体に記録するための記録領域の設定を行う記録領域設定ステップと、前記記録領域設定ステップで設定した記録領域に基づいて、前記第２の記録媒体に対する前記情報データの記録動作を制御する制御ステップとをコンピュータに実行させる。
【００１１】
本発明のコンピュータ読み取り可能な記憶媒体は、前記プログラムをコンピュータに読み取り可能に記憶する。
【発明の効果】
【００１２】
本発明によれば、第１の記録媒体に記録された情報データ（静止画データ）を第２の記録媒体に記録するための記録領域を設定し、当該記録領域に基づいて、第２の記録媒体に対する前記情報データの記録動作を制御するようにしたので、第２の記録媒体内に静止画データの記録領域を確保することができるとともに、ユーザが当該第２の記録媒体の空き容量を気にすることなく動画データの記録を行うことができる。これにより、第２の記録媒体を動画データの記録媒体のみならず、静止画データの保存用記録媒体としても利用することが可能になる。
【発明を実施するための最良の形態】
【００１３】
以下、本発明を実施するための最良の形態について添付図面を参照しながら詳細に説明する。
【００１４】
図１は、本発明の実施形態に係る画像記録再生装置のブロック構成図である。
本実施形態における画像記録再生装置１００は、静止画データを記録・再生するための半導体メモリカード（第１の記録媒体）１０６と、静止画データ及び動画データを記録・再生するための光ディスク（第２の記録媒体）１０７とが着脱可能に構成されている。
【００１５】
図１に示すように、画像記録再生装置１００には、被写体からの入射光を集光するための撮像レンズ１０１と、撮像レンズ１０１で集光した光を画像信号（電気信号）として出力する撮像素子１０２と、撮像素子１０２から出力された画像信号にＡ／Ｄ変換を含む所定の処理を施して画像データを出力する画像信号処理部１０３と、画像信号処理部１０３から出力された画像データに対して圧縮処理や伸張処理を行う圧縮・伸張処理部１０４と、画像記録再生装置１００に装着された半導体メモリカード１０６及び光ディスク１０７への画像データの記録・再生を制御する記録・再生制御部１０５と、画像記録再生装置１００を構成する各構成部を統括的に制御するシステムコントローラ１０８と、ユーザが各種の設定を行うための入力手段である操作部１０９と、画像データや各種の設定画面、あるいは画像記録再生装置１００の状態等を表示・出力する表示・出力部１１０とを備えて構成されている。
【００１６】
記録・再生制御部１０５は、画像記録再生装置１００に半導体メモリカード１０６及び光ディスク１０７が装着されたことを検知し、装着された半導体メモリカード１０６には撮像素子１０２で撮像した撮像信号に基づく静止画データを記録するように制御し、装着された光ディスク１０７には撮像素子１０２で撮像した撮像信号に基づく静止画データ及び動画データを記録するように制御する。
【００１７】
操作部１０９には、半導体メモリカード１０６に記録されている静止画データを光ディスク１０７に移動あるいは複写して記録する際に、当該静止画データを記録する記録領域の設定に関する選択等を行うための選択部１０９１が設けられている。
【００１８】
システムコントローラ１０８には、複写・移動制御部１０８１と、容量監視部１０８２と、記録領域設定部１０８３と、記録可能時間設定部１０８４と、容量超過警告部１０８５と、表示・出力制御部１０８６とが設けられている。
【００１９】
複写・移動制御部１０８１は、記録・再生制御部１０５を制御して半導体メモリカード１０６から静止画データを読み出し（再生し）、当該静止画データを光ディスク１０７へ複写や移動する際の制御を行う。また、複写・移動制御部１０８１は、半導体メモリカード１０６から光ディスク１０７に静止画データを移動する場合には、半導体メモリカード１０６から静止画データを読み出すとともに当該静止画データを消去し、半導体メモリカード１０６から光ディスク１０７に静止画データを複写する場合には、光ディスク１０７に当該静止画データを複写した後に、半導体メモリカード１０６を自動的に初期化する。
【００２０】
容量監視部１０８２は、記録・再生制御部１０５を制御して、ファイナライズが必要な光ディスク１０７の空き容量（追加記録可能容量）や半導体メモリカード１０６の記憶容量の検知、あるいは光ディスク１０７の空き容量と後述する記録領域設定部１０８３により設定された記録領域との比較等の記録媒体における容量の監視を行う。
【００２１】
記録領域設定部１０８３は、半導体メモリカード１０６に記録された静止画データを光ディスク１０７に移動あるいは複写して記録する際の記録領域の設定を行う。具体的に、記録領域設定部１０８３は、選択部１０９１により前記記録領域の設定を自動的に行う設定が選択された場合には、容量監視部１０８２で検知した半導体メモリカード１０６の記憶容量を前記記録領域として光ディスク１０７内に設定し、また、選択部１０９１により前記記録領域の設定をユーザが任意に行う設定が選択された場合には、操作部１０９を介して入力された入力値を前記記録領域として光ディスク１０７内に設定する。
【００２２】
記録可能時間設定部１０８４は、容量監視部１０８２で検知した光ディスク１０７の空き容量と、記録領域設定部１０８３で設定した記録領域とに基づいて、光ディスク１０７における動画データの記録可能時間を設定する。
【００２３】
容量超過警告部１０８５は、記録領域設定部１０８３で設定した記録領域が容量監視部１０８２で検知した光ディスク１０７の空き容量を超えた場合に、その旨を表示・出力制御部１０８６を介して表示・出力部１１０に出力しユーザに警告を行う。
【００２４】
表示・出力制御部１０８６は、画像データや各種の設定画面、あるいは光ディスク１０７に記録領域設定部１０８３で設定した前記記録領域を確保できたか否か等の画像記録再生装置１００の状態を表示・出力部１１０に表示・出力する際の制御を行う。
【００２５】
図２は、本発明の実施形態に係る画像記録再生装置において、光ディスク１０７上にメモリカード１０６に記録された静止画データの記録（複写、移動）用の記録領域の設定処理の制御方法を示したフローチャートである。図２の処理は、ユーザが操作部１０９を操作することで記録領域設定処理を指示した際に実行される。また、図４は、半導体メモリカード１０６に記録された静止画データを光ディスク１０７に記録する際の記録領域の設定を行うためのユーザインターフェースを示した図である。ここで、図２では、図４のユーザインターフェースにおいて、矢印で示したように前記記録領域を「自動的に設定する。」が選択された際の処理について示す。なお、この際の選択処理は、選択部１０９１で行われる。
【００２６】
まず、ステップＳ２０１では、記録・再生制御部１０５において、画像記録再生装置１００に光ディスク１０７が装着されているか否かを判断する。この判断の結果、光ディスク１０７が装着されていないと判断された場合には、光ディスク１０７が装着されたと判断されるまで、ステップＳ２０１で待機する。一方、ステップＳ２０１での判断の結果、光ディスク１０７が装着されていると判断された場合には、ステップＳ２０２に進む。
【００２７】
続いて、ステップＳ２０２では、容量監視部１０８２において、光ディスク１０７の空き容量（ファイナライズが必要な光ディスクの場合には追加記録可能容量）を検知する。
【００２８】
続いて、ステップＳ２０３では、記録・再生制御部１０５において、画像記録再生装置１００に半導体メモリカード１０６が装着されているか否かを判断する。この判断の結果、半導体メモリカード１０６が装着されていないと判断された場合には、半導体メモリカード１０６が装着されたと判断されるまで、ステップＳ２０３で待機する。一方、ステップＳ２０３での判断の結果、半導体メモリカード１０６が装着されていると判断された場合には、ステップＳ２０４に進む。
【００２９】
続いて、ステップＳ２０４では、容量監視部１０８２において、半導体メモリカード１０６の記憶容量を検知する。
【００３０】
続いて、ステップＳ２０５では、記録領域設定部１０８３において、選択部１０９１により選択された設定モードが光ディスク１０７の前記記録領域を自動的に設定するモード（図４の設定画面において、「自動的に設定する。」モード）であるか否かを判断する。この判断の結果、光ディスク１０７の記録領域を自動的に設定するモードであると判断された場合には、ステップＳ２０６に進む。一方、ステップＳ２０５での判断の結果、光ディスク１０７の記録領域を自動的に設定するモードでないと判断された場合には、当該フローチャートにおける処理を終了する。
【００３１】
続いて、ステップＳ２０６では、記録領域設定部１０８３において、ステップＳ２０４で検知した半導体メモリカード１０６の記憶容量を光ディスク１０７内に確保すべき記録領域として設定する。
【００３２】
続いて、ステップＳ２０７では、容量監視部１０８２において、ステップＳ２０２で検知した光ディスク１０７の空き容量と、記録領域設定部１０８３で設定した記録領域（本例では、ステップＳ２０４で検知した半導体メモリカード１０６の記憶容量）とを比較し、光ディスク１０７の空き容量の方が記録領域設定部１０８３で設定した記録領域よりも大きいか否かを判断する。すなわち、このステップＳ２０７では、ステップＳ２０６で設定した記録領域を光ディスク１０７内に確保できるか否かの判断を行うものである。
【００３３】
ステップＳ２０７での判断の結果、光ディスク１０７の空き容量の方が記録領域設定部１０８３で設定した記録領域よりも大きい、すなわちステップＳ２０６で設定した記録領域を光ディスク１０７内に確保できると判断された場合、続いて、ステップＳ２０８では、記録可能時間設定部１０８４において、ステップＳ２０２で検知された光ディスク光ディスク１０７の空き容量からステップＳ２０６で設定された記録領域の容量を差し引いて動画データの記録可能容量を算出し、当該記録可能容量における動画データの記録可能時間を設定する。ここで、図７は、光ディスク１０７内に記録領域の設定を完了した後に通常びカメラ画面を表示している場合、光ディスク１０７の動画データの記録可能時間として「動画記録可能時間」７０１の表示と半導体メモリカードに記憶されている静止画データの記録可能な領域として「静止画記録領域」７０２の表示例を示した図である。ステップＳ２０８での処理の終了後、表示・出力制御部１０８６により、図７に示すように、光ディスク１０７における「動画記録可能時間」７０１、及び「静止画記録領域」７０２が表示・出力部１１０に出力表示された後、当該フローチャートにおける処理を終了する。
【００３４】
ステップＳ２０７での判断の結果、光ディスク１０７の空き容量の方が記録領域設定部１０８３で設定した記録領域よりも小さい、すなわちステップＳ２０６で設定した記録領域を光ディスク１０７内に確保できないと判断された場合、続いて、ステップＳ２０９では、容量超過警告部１０８５において、その旨を表示・出力制御部１０８６を介して表示・出力部１１０に出力しユーザに警告を行う。その後、当該フローチャートにおける処理を終了する。
【００３５】
この様に、光ディスク１０７上にメモリカード１０６用の記録領域を確保した後、システムコントローラ１０８は、光ディスク１０７に対する動画像データの記録中、確保した記録領域を除く光ディスク１０７の記録可能容量を監視し、記録可能残量が無くなった時点で記録を停止する。
【００３６】
図３は、本発明の実施形態に係る画像記録再生装置の制御方法を示したフローチャートである。ここで、図３では、図４のユーザインターフェースにおいて、前記記録領域を「任意の容量に設定する。」が選択された際の処理について示す。なお、この際の選択処理は、選択部１０９１で行われる。
【００３７】
まず、ステップＳ３０１では、記録・再生制御部１０５において、画像記録再生装置１００に光ディスク１０７が装着されているか否かを判断する。この判断の結果、光ディスク１０７が装着されていないと判断された場合には、光ディスク１０７が装着されたと判断されるまで、ステップＳ３０１で待機する。一方、ステップＳ３０１での判断の結果、光ディスク１０７が装着されていると判断された場合には、ステップＳ３０２に進む。
【００３８】
続いて、ステップＳ３０２では、容量監視部１０８２において、光ディスク１０７の空き容量（ファイナライズが必要な光ディスクの場合には追加記録可能容量）を検知する。
【００３９】
続いて、ステップＳ３０３では、記録・再生制御部１０５において、画像記録再生装置１００に半導体メモリカード１０６が装着されているか否かを判断する。この判断の結果、半導体メモリカード１０６が装着されていないと判断された場合には、半導体メモリカード１０６が装着されたと判断されるまで、ステップＳ３０３で待機する。一方、ステップＳ３０３での判断の結果、半導体メモリカード１０６が装着されていると判断された場合には、ステップＳ３０４に進む。
【００４０】
続いて、ステップＳ３０４では、容量監視部１０８２において、半導体メモリカード１０６の記憶容量を検知する。
【００４１】
続いて、ステップＳ３０５では、記録領域設定部１０８３において、選択部１０９１により選択された設定モードが光ディスク１０７の前記記録領域をユーザが任意に設定するモード（図４の設定画面において、「任意の容量に設定する。」モード）であるか否かを判断する。この判断の結果、光ディスク１０７の記録領域をユーザが任意に設定するモードであると判断された場合には、ステップＳ３０６に進む。一方、ステップＳ３０５での判断の結果、光ディスク１０７の記録領域をユーザが任意に設定するモードでないと判断された場合には、当該フローチャートにおける処理を終了する。
【００４２】
続いて、ステップＳ３０６では、記録領域設定部１０８３において、ユーザにより入力された前記記録領域に関する入力値を検知し、当該入力値を光ディスク１０７内に確保すべき記録領域として設定する。ここで、図５及び図６は、記録領域を設定するためのユーザによる入力画面を示した図である。図６は、図５の入力画面に対して、ユーザが図中の「▲」キー（増加）を操作して、光ディスク１０７内に確保すべき記録領域を入力値１０ＭＢから入力値１１ＭＢに増加させた場合を示している。「▲」キー（増加）及び「▼」キー（減少）は、操作部１０９により制御される。
【００４３】
続いて、ステップＳ３０７では、容量監視部１０８２において、ステップＳ３０２で検知した光ディスク１０７の空き容量と、記録領域設定部１０８３で設定した記録領域（本例では、ステップＳ３０６で検知したユーザによる入力値）とを比較し、光ディスク１０７の空き容量の方が記録領域設定部１０８３で設定した記録領域よりも大きいか否かを判断する。すなわち、このステップＳ３０７では、ステップＳ３０６で設定した記録領域を光ディスク１０７内に確保できるか否かの判断を行うものである。
【００４４】
ステップＳ３０７での判断の結果、光ディスク１０７の空き容量の方が記録領域設定部１０８３で設定した記録領域よりも大きい、すなわちステップＳ３０６で設定した記録領域を光ディスク１０７内に確保できると判断された場合、続いて、ステップＳ３０８では、記録可能時間設定部１０８４において、ステップＳ３０２で検知された光ディスク光ディスク１０７の空き容量からステップＳ３０６で設定された記録領域の容量を差し引いて動画データの記録可能容量を算出し、当該記録可能容量における動画データの記録可能時間を設定する。その後、表示・出力制御部１０８６により、図７に示すように、光ディスク１０７の動画データの記録可能時間として「動画記録可能時間」７０１、及び半導体メモリカードに記憶されている静止画データの記録可能な領域として「静止画記録領域」７０２が表示・出力部１１０に出力表示された後、当該フローチャートにおける処理を終了する。
【００４５】
ステップＳ３０７での判断の結果、光ディスク１０７の空き容量の方が記録領域設定部１０８３で設定した記録領域よりも小さい、すなわちステップＳ３０６で設定した記録領域を光ディスク１０７内に確保できないと判断された場合、続いて、ステップＳ３０９では、容量超過警告部１０８５において、その旨を表示・出力制御部１０８６を介して表示・出力部１１０に出力しユーザに警告を行う。その後、当該フローチャートにおける処理を終了する。
【００４６】
本実施形態によれば、静止画データ及び動画データを記録・再生するための光ディスク（第２の記録媒体）１０７の空き容量を容量監視部１０８２で検知し（ステップＳ２０２，Ｓ３０２）、半導体メモリカード（第１の記録媒体）１０６に記録された静止画データを光ディスク１０７に移動あるいは複写して記録する際の記録領域を記録領域設定部１０８３で設定し（ステップＳ２０６，Ｓ３０６）、記録可能時間設定部１０８４において、容量監視部１０８２で検知した光ディスク１０７の空き容量と、記録領域設定部１０８３で設定した記録領域とに基づいて、光ディスク１０７における動画データの記録可能時間を設定するようにしたので（ステップＳ２０８，Ｓ３０８）、光ディスク１０７内に静止画データの記録領域を確保することができるとともに、ユーザが当該光ディスク１０７の空き容量を気にすることなく動画データの記録を行うことができる。これにより、光ディスク１０７を動画データの記録媒体のみならず、静止画データの保存用記録媒体としても利用することが可能になる。
【００４７】
なお、本実施形態では、光ディスクと半導体メモリカードに対して動画像データと静止画像データを記録再生する場合について説明したが、他の光ディスクやメモリカードに代えて他の記録メディアを用い、更に、動画像データや静止画像データに代えて他の情報データを記録再生することも可能である。
【００４８】
前述した本実施形態に係る画像記録再生装置を構成する図１の各構成部（各手段）、並びに画像記録再生装置の制御方法を示した図２、図３の各ステップは、コンピュータのＲＡＭやＲＯＭなどに記憶されたプログラムが動作することによって実現できる。このプログラム及び当該プログラムを記憶したコンピュータ読み取り可能な記憶媒体は本発明に含まれる。
【００４９】
具体的に、前記プログラムは、例えばＣＤ−ＲＯＭのような記憶媒体に記憶され、あるいは各種伝送媒体を介し、コンピュータに提供される。前記プログラムを記憶する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５０】
また、コンピュータが供給されたプログラムを実行することにより本実施形態の画像記録再生装置の機能が実現されるだけでなく、そのプログラムがコンピュータにおいて稼働しているＯＳ（オペレーティングシステム）、あるいは他のアプリケーションソフト等と共同して本実施形態の画像記録再生装置の機能が実現される場合や、供給されたプログラムの処理の全て、あるいは一部がコンピュータの機能拡張ボードや機能拡張ユニットにより行われて本実施形態の画像記録再生装置の機能が実現される場合も、かかるプログラムは本発明に含まれる。
【図面の簡単な説明】
【００５１】
【図１】本発明の実施形態に係る画像記録再生装置のブロック構成図である。
【図２】本発明の実施形態に係る画像記録再生装置の制御方法を示したフローチャートである。
【図３】本発明の実施形態に係る画像記録再生装置の制御方法を示したフローチャートである。
【図４】半導体メモリカードに記録された静止画データを光ディスクに記録する際の記録領域の設定を行うためのユーザインターフェースを示した図である。
【図５】記録領域を設定するためのユーザによる入力画面を示した図である。
【図６】記録領域を設定するためのユーザによる入力画面を示した図である。
【図７】光ディスクの動画データの記録可能時間として「動画記録可能時間」の表示と半導体メモリカードに記憶されている静止画データの記録可能な領域として「静止画記録領域」の表示例を示した図である。
【符号の説明】
【００５２】
１００  画像記録再生装置
１０１  撮像レンズ
１０２  撮像素子
１０３  画像信号処理部
１０４  圧縮・伸張処理部
１０５  記録・再生制御部
１０６  半導体メモリカード（第１の記録媒体）
１０７  光ディスク（第２の記録媒体）
１０８  システムコントローラ
１０８１  複写・移動制御部
１０８２  容量監視部
１０８３  記録領域設定部
１０８４  記録可能時間設定部
１０８５  容量超過警告部
１０８６  表示・出力制御部
１０９  操作部
１０９１  選択部
１１０  表示・出力部
【図１】
2006340197.tif 000003
【図２】
2006340197.tif 000004
【図３】
2006340197.tif 000005
【図４】
2006340197.tif 000006
【図５】
2006340197.tif 000007
【図６】
2006340197.tif 000008
【図７】
2006340197.tif 000009